(57)【要約】【課題】浮歩道の全長を長めにとることなく水位変動に対応でき、かつ、水位が下がっても湖沼の露出した傾斜面に端部が着地することのない浮歩道の連結構造を提供する。【解決手段】岸に固定部３を設置し、この固定部３と浮歩道２の端部との間に伸縮部５を設け、この伸縮部５の一端部を固定部３に連結し、他端部を浮歩道２の端部に連結し、前記伸縮部５は水位の変動による前記浮歩道２の上下動に伴って伸縮する。したがって、水位が低くなるに伴って浮歩道が下降していき、この浮歩道の下降に伴って伸縮部が伸びていくので、浮歩道をほぼ一直線状に配置でき、浮歩道の全長を長めにとることなく、水位変動に対応できる。また、水位の低下に伴って伸縮部５が伸びていくので、浮歩道２の両端側の浮体４は常に水面に浮いており、露出した傾斜面に、浮体４の底部が着地することがない。【選択図】　　　　図３
2004124415.tif 000002
【特許請求の範囲】
【請求項１】
水面に浮く浮歩道の両端部をそれぞれ岸に連結する浮歩道の連結構造であって、
前記岸に固定部が設置され、この固定部と前記浮歩道の端部との間に伸縮部が設けられ、
この伸縮部の一端部が前記固定部に連結され、他端部が前記浮歩道の端部に連結されており、
前記伸縮部は水位の変動による前記浮歩道の上下動に伴って伸縮することを特徴とする浮歩道の連結構造。
【請求項２】
請求項１に記載の浮歩道の連結構造において、
前記伸縮部は、この伸縮部の伸縮に伴って、該伸縮部と同方向に伸縮する歩行路を備えていることを特徴とする浮歩道の連結構造。
【請求項３】
請求項２に記載の浮歩道の連結構造において、
前記伸縮部は、前記歩行路の両側に設けられた手摺部を備えていることを特徴とする浮歩道の連結構造。
【請求項４】
請求項１〜３のいずれか一項に記載の浮歩道の連結構造において、
前記浮歩道の端部は、前記固定部にワイヤで係留されており、このワイヤの長さは前記伸縮部の最大伸長長さより長いことを特徴とする浮歩道の連結構造。
【発明の詳細な説明】
【０００１】
【発明の属する技術分野】
本発明は、湖沼等を横断する際に使用される浮歩道の岸への連結構造に関するものである。
【０００２】
【従来の技術】
例えばダム湖においては、ダム湖の点検用あるいはレクリエーション用としてダム湖横断用の浮歩道を設ける場合がある。浮歩道の一例として、水面に浮く浮体を複数一列に連結して浮歩道を構成し、この浮歩道の両端部をそれぞれ岸に係留し、浮歩道の全長を係留地点間の距離より所定長さだけ長くしているものが知られている（例えば、特許文献１参照。）。
【０００３】
このように前記浮歩道は、その全長を係留地点間の距離より所定長さだけ長くしているので、夏場の渇水期や放流によって水位が下がった場合には、浮歩道の余長で対応できる。すなわち、水位が下がった場合、ダム湖の周囲の露出してきた傾斜面に沿って浮歩道の端部側の浮体が着地し、これによって係留地に過大な力が作用しないようになっている。
【０００４】
【特許文献１】
特開平７−１９７４１９号公報
【０００５】
【発明が解決しようとする課題】
このように従来の浮歩道では、その全長を係留地点間の距離より所定長さだけ長くしているので、水位が高い場合には、浮歩道自体が水面で蛇行した状態となっている。したがって、浮歩道上の歩行時間が長くなったり、安定的な歩行が行い難いという問題がある。
また、渇水期に水位が下がって、ダム湖の傾斜面が露出してくると、この露出した傾斜面に浮歩道の両端部、すなわち浮歩道の両端側の浮体の底部が着地するので、浮歩道の端部の底面と傾斜面との間の摩擦によって、浮歩道の端部の底面が損傷するという問題もある。
【０００６】
本発明は上記事情に鑑みてなされたもので、浮歩道の全長を長めにとることなく水位変動に対応でき、かつ、水位が下がっても湖沼の露出した傾斜面に端部が着地することのない浮歩道の連結構造を提供することを目的としている。
【０００７】
【課題を解決するための手段】
上記目的を達成するために、請求項１に記載の発明は、例えば図１〜図７に示すように、水面に浮く浮歩道２の両端部をそれぞれ岸に連結する浮歩道の連結構造であって、
前記岸に固定部３が設置され、この固定部３と前記浮歩道２の端部との間に伸縮部５が設けられ、
この伸縮部５の一端部が前記固定部３に連結され、他端部が前記浮歩道２の端部に連結されており、
前記伸縮部５は水位の変動による前記浮歩道２の上下動に伴って伸縮することを特徴とする。
【０００８】
請求項１に記載の発明によれば、水位が低くなるに伴って浮歩道が下降していき、この浮歩道の下降に伴って伸縮部が伸びていく。したがって、水位が高い状態に合わせて浮歩道を蛇行させることなく、ほぼ一直線状に配置できるので、浮歩道の全長を長めにとることなく、水位変動に対応できる。
また、水位が低くなるに伴って伸縮部が伸びていくので、浮歩道の両端部は常に水面に浮いており、露出した傾斜面に、浮歩道の両端部の底部が着地することがない。したがって、浮歩道の端部の底面と傾斜面との間の摩擦に起因する浮歩道端部の破損がない。
【０００９】
請求項２に記載の発明は、請求項１に記載の浮歩道の連結構造において、
前記伸縮部５は、この伸縮部５の伸縮に伴って、該伸縮部５と同方向に伸縮する歩行路９を備えていることを特徴とする。
【００１０】
例えば、伸縮部を、複数の踏み板と蹴込板とを交互に連結するとともに、この連結部を回動自在とした階段状のものとすれば、複数の踏み板によって歩行路を構成できる。
【００１１】
請求項２に記載の発明によれば、伸縮部がこの伸縮部と同方向に伸縮する歩行路を備えているので、水位が低くなるに伴って浮歩道が下降していき、この浮歩道の下降に伴って伸縮部が伸びていくと、これに伴って歩行路が伸びていくので、浮歩道が低くなっても歩行路を通って浮歩道に容易に到達できる。
【００１２】
請求項３に記載の発明は、請求項２に記載の浮歩道の連結構造において、
前記伸縮部５は、前記歩行路９の両側に設けられた手摺部１０を備えていることを特徴とする。
【００１３】
請求項３に記載の発明によれば、歩行路の両側に手摺部が設けられているので、歩行路を安全に歩行できる。
【００１４】
請求項４に記載の発明は、請求項１〜３のいずれか一項に記載の浮歩道の連結構造において、
前記浮歩道２の端部は、前記固定部３にワイヤ１５で係留されており、このワイヤ１５の長さは伸縮部５の最大伸長長さより長いことを特徴とする。
【００１５】
請求項４に記載の発明によれば、浮歩道の端部が固定部にワイヤで係留しているので、万が一、伸縮部が浮歩道から外れたり、破損した場合でも、浮歩道が漂流していくことがない。
また、水位が低下に伴って伸縮部が最大長さに伸びた場合でも、ワイヤが伸縮部の最大伸長長さより長いので、ワイヤから浮歩道の端部に過大な力が作用することもない。
【００１６】
【発明の実施の形態】
以下、図面を参照して本発明の実施の形態について説明する。
これらの図において、符号１はダム湖、符号２は浮歩道、符号３は固定部を示す。
浮歩道２は、水面に浮く浮体４を多数一列にワイヤ等によって連結してなるものであり、満水時において一直線状になってダム湖１を横断できる長さに設定されている。
固定部３は、コンクリート構造物で構成されたものであり、ダム湖の対向する岸にそれぞれ設置固定されている。
【００１７】
固定部３と浮歩道２の端部側の浮体４との間には伸縮部５が介在されており、この伸縮部５の一端部は固定部３に連結され、他端部は端部側の浮体４に連結されている。
伸縮部５は伸縮する階段状のもので、以下のように構成されている。
すなわちまず、伸縮部５は多数の踏み板６と多数の蹴込板７とを備えている。これら踏み板６と蹴込板７とは交互に連結されいる。すなわち、図７に示すように、踏み板６の先端縁部と、蹴込板７の下端縁部とはヒンジ部８によって鉛直面内において回動自在に連結されており、踏み板６の後端縁部と蹴込板７の上端縁部とはヒンジ部８によって鉛直面内において回動自在に連結されている。このように踏み板６と蹴込板７とを交互に連結することによって、伸縮可能な歩行路９が形成されている。
【００１８】
そして、図５に示すように、伸縮部５が閉じた状態、つまり縮んでいる状態では、蹴込板７が踏み板６とほぼ平行になるようにして倒れた状態となり、歩行路９が縮んだ状態となっている。
一方、伸縮部５が開いた状態、つまり伸びている状態では、図６に示すように、蹴込板７がその下端部のヒンジ部８を支点として回動して起上った状態となっている。蹴込板７が回動するようにして起上ると、この蹴込板７の上端縁部に連結されている踏み板６が前進し、これによって、歩行路９が伸びるようになっている。
【００１９】
また、歩行路９の両側には手摺部１０が設けられている。すなわち、図７に示すように、踏み板６と蹴込板７との連結部の両端部には、手摺子１１の下端部が鉛直面内で回動自在に連結されている。これら手摺子１１の上端部には、手摺１２が連結されている。この手摺１２の連結は、手摺１２に筒体１３を手摺１２の長手方向にスライド自在に取り付け、この筒体１３に手摺子１１の上端部をヒンジ部１４によって鉛直面内で回動自在に連結することによって行われている。
【００２０】
したがって、蹴込板７が倒れた状態から回動して起上ると、筒体１３が、ヒンジ部８、手摺子１１、ヒンジ部１４を介して、手摺１２をスライドして、隣り合う手摺子１１，１１間の距離が広がるようになっている。また、手摺１２は伸縮自在となっており、例えば、一方の管状の手摺棒に、他方の手摺棒をスライド自在に挿入してなる二重構造になっている。そして、この手摺１２の一方の端部は、固定部３に連結され、他方の端部は浮歩道２の端部側の浮体４に連結されている。したがって、浮歩道２が水面の低下によって下降すると、それに伴って手摺１２が引っ張られて伸びていくとともに、踏み板６も引っ張られ、これによって伸縮部５全体が伸びていくようになっている。
上記のような構成の伸縮部５は、図１および図３に示すように、ダム湖１の岸に２つ連結されて設置されている。一方の伸縮部５は岸の水平部に設置され、他方の伸縮部５は岸の水面付近までの傾斜部に設置されている。
【００２１】
また、浮歩道２の端部は、図１〜図４に示すように、固定部３にワイヤ１５で係留されいる。すなわち、浮歩道２の端部側の浮体４は、固定部３に一対のワイヤ１５，１５で係留されている。このワイヤ１５はその長さが伸縮部５の最大伸長長さより長くなるように、余裕を持たせてある。
【００２２】
次に上記構成の浮歩道の連結構造の作用について説明すると、まず、ダム湖１が満水状態の場合は、図１および図２に示すように、浮歩道２はダム湖１を横断するようにほぼ一直線状に配置され、この状態において歩行路９を備えた伸縮部５は縮んでいる。そして、岸の水面付近までの傾斜部に設けられた伸縮部５の歩行路９を下り歩行することによって、浮歩道２に容易に到達して、浮歩道２を渡ることができる。
【００２３】
一方、渇水期等において、図３および図４に示すように、ダム湖１の水位が低下すると、これに伴って浮歩道２が下降していく。すると、浮歩道２に連結されている伸縮部５が前記傾斜部に沿って斜め下方に伸びていく。この場合まず、浮歩道２が下降すると、伸縮部５の手摺１２の先端部と、先頭（下端側）の踏み板６とが斜め下方に引っ張られる。手摺１２は伸縮自在であるので、手摺１２は斜め下方に伸びていく。また、先頭の踏み板６が斜め下方に引っ張られると、この踏み板６に連結されている先頭蹴込板７がその下端部のヒンジ部８を支点として回動して起上る。さらに、先頭の踏み板６が引っ張られると、次の踏み板６が先頭の蹴込板７によって斜め下方に引っ張られて、この踏み板６に連結されている次の蹴込板７がその下端部のヒンジ部８を支点として回動して起上るという工程が順次行われていくことによって、それぞれの踏み板６が斜め下方に前進していって、歩行路９を備えた伸縮部５全体が伸びていき、図３および図４に示す状態となる。
また、伸縮部５が伸びる際に、蹴込板７が倒れた状態から回動して起上ると、筒体１３が、ヒンジ部８、手摺子１１、ヒンジ部１４を介して、手摺１２をスライドして、隣り合う手摺子１１，１１間の距離が広がっていき、これによって、歩行路９が伸びても、その両側には手摺子１１と手摺１２とを備えた手摺部１０が形成される。
【００２４】
このように、本実施の形態の浮歩道の連結構造では、ダム湖１の水位が低くなるに伴って浮歩道２が下降していき、この浮歩道２の下降に伴って伸縮部５が伸びていくので、水位が高い状態に合わせて浮歩道を蛇行させることなく、ほぼ一直線状に配置できるので、浮歩道２の全長を長めにとることなく、水位変動に対応できる。
また、水位が低くなるに伴って伸縮部５が伸びていくので、浮歩道２の両端側の浮体４，４は常に水面に浮いており、露出した傾斜面に、浮歩道２の両端側の浮体４の底部が着地することがない。したがって、浮体４の底面と傾斜面との間の摩擦に起因する浮体４の破損がない。
【００２５】
また、水位が低くなるに伴って浮歩道２が下降していき、この浮歩道２の下降に伴って伸縮部５が伸びていくと、これに伴って歩行路９が伸びていくので、浮歩道２が低くなっても歩行路９を通って浮歩道２に容易に到達できる。
さらに、歩行路９の両側に手摺部１０が設けられているので、歩行路９を安全に歩行できる。
また、万が一、伸縮部５が浮歩道２から外れたり、破損した場合でも、浮歩道２がワイヤ１５によって固定部３に係留されているので、浮歩道２が漂流していくことがない。
また、伸縮部５が最大長さに伸びた場合でも、ワイヤ１５が伸縮部の最大伸長長さより長いので、ワイヤ１５から浮歩道２の端部に過大な力が作用することもない。
【００２６】
なお、本実施の形態では、伸縮部５を伸縮可能な階段状のものとしたが、これに限ることなく、例えば、蛇腹状の筒体で構成し、その内部を歩行路としてもよい。
また、本実施の形態では、浮体４を多数一列にワイヤ等によって連結することによって浮歩道２を構成したが、浮歩道はこれに限ることなく、水面に浮いて、波や風等に外力によって上下左右方向に撓むことができるものであればよい。
【００２７】
【発明の効果】
以上説明したように、請求項１に記載の発明によれば、水位低下に伴う浮歩道の下降に伴って伸縮部が伸びていくので、水位が高い状態に合わせて浮歩道を蛇行させることなく、ほぼ一直線状に配置できるので、浮歩道の全長を長めにとることなく、水位変動に対応できる。
また、浮歩道の全長を長めにとることながないので、浮歩道にかかるコストを低減できる。
また、水位の低下に伴って伸縮部が伸びていくので、浮歩道の両端部は常に水面に浮いている。したがって、浮歩道端部の底面と傾斜面との間の摩擦に起因する浮歩道端部の破損がない。
【００２８】
請求項２に記載の発明によれば、水位の低下に伴って浮歩道の下降して伸縮部が伸びていくと、これに伴って歩行路が伸びていくので、浮歩道が低くなっても歩行路を通って浮歩道に容易に到達できる。
【００２９】
請求項３に記載の発明によれば、歩行路の両側に手摺部が設けられているので、歩行路を安全に歩行できる。
【００３０】
請求項４に記載の発明によれば、万が一、伸縮部が浮歩道から外れたり、破損した場合でも、浮歩道が漂流していくことがない。
また、水位が低下に伴って伸縮部が最大長さに伸びた場合でも、ワイヤが伸縮部の最大伸長長さより長いので、ワイヤから浮歩道の端部に過大な力が作用することもない。
【図面の簡単な説明】
【図１】本発明の浮歩道の連結構造の一例を示すもので、満水時の状態の側面図である。
【図２】同、満水時の状態の平面図である。
【図３】同、渇水時の状態の側面図である。
【図４】同、渇水時の状態の平面図である。
【図５】同、縮んだ状態の伸縮部を示す側面図である。
【図６】同、伸びた状態の伸縮部を示す側面図である。
【図７】同、伸縮部の要部の拡大側面図である。
【符号の説明】
２　浮歩道
３　固定部
４　浮体
５　伸縮部
９　歩行路
１０　手摺部
１５　ワイヤ
【図１】
2004124415.tif 000003
【図２】
2004124415.tif 000004
【図３】
2004124415.tif 000005
【図４】
2004124415.tif 000006
【図５】
2004124415.tif 000007
【図６】
2004124415.tif 000008
【図７】
2004124415.tif 000009